(57)【特許請求の範囲】
【請求項１】
基礎と、前記基礎上に設けられる土台パッキンと、前記土台パッキン上に設けられる土台と、前記土台パッキンを外側方から覆う水切り板と、を備える建物において、前記基礎に仕上げを施すときに用いられる基礎仕上げ用定木であって、
前記水切り板に着脱可能な着脱部と、
前記着脱部が前記水切り板に取り付けられた状態において、前記基礎の上端部と前記水切り板との間を塞ぐ遮断部と、
を備えることを特徴とする基礎仕上げ用定木。
【請求項２】
前記水切り板は、
前記土台パッキンの上側から外側下方に向かって延びる傾斜部と、
前記傾斜部の外端部から下方に向かって延びる垂下部と、
を備えており、
前記着脱部は、側面視略Ｃ字形状を呈し、前記着脱部が前記水切り板に取り付けられた状態において、前記傾斜部の上面及び前記垂下部の下端に当接し、
前記遮断部から上方に向かって延びる立上部がさらに形成されており、
前記立上部は、前記着脱部が前記水切り板に取り付けられた状態において、前記傾斜部の下面に当接する
ことを特徴とする請求項１に記載の基礎仕上げ用定木。
【請求項３】
基礎と、前記基礎上に設けられる土台パッキンと、前記土台パッキン上に設けられる土台と、前記土台パッキンを外側方から覆う水切り板と、を備える建物において、前記基礎に仕上げを施す基礎仕上げ方法であって、
前記水切り板に着脱可能な着脱部と、前記着脱部が前記水切り板に取り付けられた状態において、前記基礎の上端部と前記水切り板との間を塞ぐ遮断部と、を備える基礎仕上げ用定木を前記水切り板に取り付ける取り付け工程と、
前記基礎に仕上げを施す仕上げ工程と、
前記基礎仕上げ用定木を前記水切り板から取り外す取り外し工程と、
を含むことを特徴とする基礎仕上げ方法。
【発明の詳細な説明】
【技術分野】
【０００１】
本発明は、基礎と土台との間に土台パッキンが設置された建物において用いられる基礎仕上げ用定木、及び、基礎仕上げ用定木を用いた基礎仕上げ方法に関する。
【背景技術】
【０００２】
木造住宅等の建物では、一階床下の通気性を確保するために、土台パッキン工法（基礎パッキン工法ともいう）が採用される場合がある（特許文献１参照）。土台パッキン工法は、基礎と土台との間に、土台パッキン（基礎パッキンともいう）と呼ばれるブロック状の部材を所定の間隔で複数設置し、隣接する土台パッキン間に通気孔を構成することによって床下空間の通気性を確保する工法である。土台パッキン工法が採用された建物は、基礎に通気孔を形成しなくてよいので基礎立ち上がり部の断面欠損を無くすことができる、土台と基礎との接触が無くなるので防湿シートを不要とすることができる、隅角部等の従来通気性が悪かった部分の通気性を確保することができる、玄関、テラス等の従来通気孔を形成することができなかった部位の通気性を確保することができる、といった多くの利点を有する。
【特許文献１】特開２００４−２２５４６１号公報
【発明の開示】
【発明が解決しようとする課題】
【０００３】
従来の土台パッキン工法が採用された建物では、例えば、基礎の外側面に、コテを用いてモルタルを塗布する、コテを用いてモルタルを塗布した後に表面を刷毛引きする等によって仕上げが施されることがある。また、例えば、基礎の外側面にショットクリートを吹き付ける等によって、仕上げが施されることがある。かかる仕上げを施す際に、仕上げが土台パッキンによって構成された通気孔を塞いでしまうと、床下空間の通気性が低下してしまうおそれがある。そのため、基礎に仕上げを施す作業者は、通気孔を塞がないように注意して仕上げ作業を行わなければならない。
【０００４】
そこで、本発明は、基礎に施される仕上げが通気孔を塞ぐことを防ぐことが可能な基礎仕上げ用定木及び基礎の仕上げ方法を提供することを課題とする。
【課題を解決するための手段】
【０００５】
前記課題を解決するための請求項１に係る発明は、基礎と、前記基礎上に設けられる土台パッキンと、前記土台パッキン上に設けられる土台と、前記土台パッキンを外側方から覆う水切り板と、を備える建物において、前記基礎に仕上げを施すときに用いられる基礎仕上げ用定木であって、前記水切り板に着脱可能な着脱部と、前記着脱部が前記水切り板に取り付けられた状態において、前記基礎の上端部と前記水切り板との間を塞ぐ遮断部と、を備えることを特徴とする。
【０００６】
土台パッキンは、基礎と土台との間に通気孔を構成する部材である。なお、本発明において、土台は、土台パッキン上に設けられる上部構造物全般を指す。遮断部は、基礎に施される仕上げが土台パッキンによって構成される通気孔を塞ぐことを防ぐことができる程度に、基礎の上端部と水切り板との間を塞いでいればよい。また、遮断部は、少なくとも、基礎の上端部のうち、水切り板の下端と同じ高さで塞いでいればよく、さらには、基礎の上端部の先端で塞いでいることが好ましい。すなわち、仕上げは、基礎の上端部のうち、水切り板の下端と同じ高さまで施されればよく、さらには、基礎の上端部の先端まで施されることが好ましい。
【０００７】
かかる構成によると、基礎仕上げ用定木を水切り板に取り付けた状態で基礎に仕上げを施すことによって、基礎に施される仕上げが土台パッキンによって構成される通気孔を塞ぐことを防ぐことができる。
【０００８】
また、請求項２に係る発明は、請求項１に記載の基礎仕上げ用定木であって、前記水切り板は、前記土台パッキンの上側から外側下方に向かって延びる傾斜部と、前記傾斜部の外端部から下方に向かって延びる垂下部と、を備えており、前記着脱部は、側面視略Ｃ字形状を呈し、前記着脱部が前記水切り板に取り付けられた状態において、前記傾斜部の上面及び前記垂下部の下端に当接し、前記遮断部から上方に向かって延びる立上部がさらに形成されており、前記立上部は、前記着脱部が前記水切り板に取り付けられた状態において、前記傾斜部の下面に当接することを特徴とする。
【０００９】
かかる構成によると、基礎仕上げ用定木を水切り板に取り付けた状態において、基礎仕上げ用定木が水切り板に対して側面視の３点で当接するので、水切り板に対する姿勢を安定させることができる。
【００１０】
前記課題を解決するための請求項３に係る発明は、基礎と、前記基礎上に設けられる土台パッキンと、前記土台パッキン上に設けられる土台と、前記土台パッキンを外側方から覆う水切り板と、を備える建物において、前記基礎に仕上げを施す基礎仕上げ方法であって、前記水切り板に着脱可能な着脱部と、前記着脱部が前記水切り板に取り付けられた状態において、前記基礎の上端部と前記水切り板との間を塞ぐ遮断部と、を備える基礎仕上げ用定木を前記水切り板に取り付ける取り付け工程と、前記基礎に仕上げを施す仕上げ工程と、前記基礎仕上げ用定木を前記水切り板から取り外す取り外し工程と、を含むことを特徴とする。
【００１１】
かかる構成によると、基礎に施される仕上げが土台パッキンによって構成される通気孔を塞ぐことを防ぐことができる。
【発明の効果】
【００１２】
本発明によれば、土台パッキン工法が採用された建物において、基礎に施される仕上げが土台パッキンによって構成される通気孔を塞ぐことを防ぐことができるので、基礎の仕上げ作業を容易化することができる。
【発明を実施するための最良の形態】
【００１３】
以下、本発明を実施するための最良の形態について図面を参照しながら詳細に説明する。説明において、同一の要素には同一の番号を付し、重複する説明を省略する。以下の説明において、『内側』及び『外側』は、それぞれ建物の内側及び外側を指す。
【００１４】
図１は、本発明の実施形態に係る建物の基礎周辺部分を模式的に示す斜視図である。図１の建物の基礎周辺部分は、内部構造を説明するために適宜破断して示されている。図２は、本発明の実施形態に係る建物の基礎周辺部分を模式的に示す断面図である。図３は、本発明の実施形態に係る土台パッキンを示す図であり、（ａ）は斜視図、（ｂ）は伏図、（ｃ）は正面図である。図３の土台パッキンは、説明に必要な１ブロック分のみ示されている。図４は、本発明の実施形態に係る基礎仕上げ用定木を示す斜視図である。図５〜図７は、本発明の実施形態に係る基礎仕上げ方法を説明するための図であり、図５（ａ）（ｂ）及び図６（ａ）は取り付け工程を説明するための模式断面図、図６（ｂ）は仕上げ工程を説明するための模式断面図、図７（ａ）（ｂ）は取り外し工程を説明するための模式断面図である。
【００１５】
図１及び図２に示すように、本発明の第一の実施形態に係る建物は、土台パッキン工法（基礎パッキン工法ともいう）及びツーバイフォー工法が採用された住宅であり、基礎１０と、複数の土台パッキン２０，２０，・・・と、土台３０と、床面材４０と、壁面材５０と、外壁下地材６０と、外壁外装材７０と、水切り板８０と、を備えている。図１及び図２において、土台パッキン２０は、一つのみ示されている。
【００１６】
図１及び図２に示すように、基礎１０は、布基礎であり、地面上に設置されて建物の上部荷重を支持する。基礎１０の立ち上がり部の外側面には、モルタル、ショットクリート等からなる仕上げ１１が施されている。
【００１７】
図１及び図２に示すように、土台パッキン２０は、基礎１０と土台３０との間に設置され、上部構造物の荷重を支持し、基礎１０と土台３０との間に、床下空間ＵＦＳと外部空間ＯＳとを連通させて床下空間ＵＦＳの通気性を確保する通気孔を構成する部材である。この土台パッキン２０は、基礎１０上の全周に設置された樹脂製部材であり、矩形枠が連続した形状を呈する、いわゆる長尺タイプのパッキンである。土台パッキン２０は、長尺タイプであるので、設置個数を減らすことができ、設置に要する手間及び時間を減らすことができる。また、後記するように、土台パッキン２０に通気孔が形成されているので、複数の土台パッキン２０，２０，・・・を互いに当接させて設置しても床下空間ＵＦＳの通気性を確保することができる。
【００１８】
土台パッキン（基礎パッキンともいう）２０は、例えば、特開平９−１７０２３７号公報に開示されているポリオフィレン系の混合材料から形成可能である。なお、土台パッキン２０の材料は前記材料に限定されず、構造的強度を発生することができる材料であればよい。また、土台パッキン２０の高さは、後記する通気部２１ａ及び挿通部２０ａによる通気性を確保することが可能な高さであればよく、例えば、２０ｍｍとすることができる。
【００１９】
図３に示すように、土台パッキン２０は、一対の長辺部２１，２１と、長辺部２１，２１を互いに連結する複数の短辺部２２，２２，・・・と、を備えている。
【００２０】
図３に示すように、長辺部２１は、基礎１０の長辺方向に沿うように設置される部分であり、複数の通気部２１ａ，２１ａ，・・・を備えている。
【００２１】
通気部２１ａは、長辺部２１の外側空間と内側空間とを連通させる孔である。通気部２１ａの一方の開口は、長辺部２１の一側面に形成されており、通気部２１ａの他方の開口は、長辺部２１の一側面と対向する他側面に形成されている。
【００２２】
短辺部２２は、基礎１０の短辺方向に沿うように設置される部分である。
【００２３】
また、土台パッキン２０は、アンカーボルト（図示せず）を挿通させる複数の挿通部２０ａを備えている。挿通部２０ａは、上下に貫通した矩形の孔であり、一対の長辺部２１，２１及び隣接する短辺部２２，２２から構成されている。
【００２４】
これら通気部２１ａ、挿通部２０ａ及び通気部２１ａが連通して通気孔を構成するので、建物の土台パッキン２０に囲まれた空間、すなわち床下空間ＵＦＳの通気性が確保される。
【００２５】
図１及び図２に示すように、土台３０は、土台パッキン２０上に設置された木材である。土台３０は、アンカーボルト（図示せず）によって基礎１０に固定されている。
【００２６】
図１及び図２に示すように、床面材４０は、水平方向に延びる平板状部材であり、土台３０上に設置される。この床面材４０の下側に床下空間ＵＦＳが構成される。壁面材５０は、鉛直方向に延びる部材であり、床面材４０上に設置される。外壁下地材６０は、土台３０、床面材４０及び壁面材５０の外側面に取り付けられた平板状部材である。外壁外装材７０は、後記する水切り板８０の取り付け部８１と所定距離だけ離隔して外側に設置された平板状部材である。
【００２７】
図１及び図２に示すように、水切り板８０は、床下空間ＵＦＳへの雨の吹き込みを防止するための部材であり、金属製の平板を折り曲げ加工することによって形成されている。図２に示すように、水切り板８０は、取り付け部８１と、傾斜部８２と、垂下部８３と、を備えている。
【００２８】
図２に示すように、取り付け部８１は、外壁下地材６０の外側面下端部に取り付けられる部分である。
【００２９】
図２に示すように、傾斜部８２は、取り付け部８１の下端部から外側下方へと傾斜して延びる部分であり、垂下部８３は、傾斜部８２の外側端部から下方へと延びる部分である。
【００３０】
水切り板８０の傾斜部８２及び垂下部８３が、土台パッキン２０を外側から覆っている。また、水切り板８０の傾斜部８２の内側端部下面が、土台パッキン２０の上面外端部に当接している。
【００３１】
図４に示すように、基礎仕上げ用定木９０は、ポリエチレン等からなる樹脂製部材であり、着脱部９１と、遮断部９２と、立上部９３と、を備えている。
【００３２】
着脱部９１は、側面視略Ｃ字形状を呈しており、水切り板８０に着脱可能な部分である。着脱部９１の上側端部９１ａは、下に凸となっている。この凸部分は丸くなっており、水切り板８０に取り付けられた状態において水切り板８０の傾斜部８２の上面に当接する。着脱部９１の下側端部９１ｂは、後記する遮断部９２と連続した平板形状を呈しており、水切り板８０に取り付けられた状態において水切り板８０の垂下部８３の下端部に当接する。この着脱部９１は、略Ｃ字形状を拡開／縮径方向に可撓性を有しており、弾性変形可能である。着脱部９１の上側端部９１ａは下に凸となっているので、水切り板８０の傾斜部８２の上面に当接させた状態でスライド移動させやすくなっている。したがって、基礎仕上げ用定木９０の水切り板８０への着脱が容易である。
【００３３】
遮断部９２は、着脱部９１の下側端部から延びる部分であり、その先端部９２ａは、水切り板８０に取り付けられた状態において基礎１０の上端部の外側面に当接する。
【００３４】
立上部９３は、遮断部９２の先端部９２ａから上方に延びる部分であり、その上端部９３ａは、水切り板８０に取り付けられた状態において水切り板８０の傾斜部８２の下面に当接する。
【００３５】
続いて、本発明の実施形態に係る基礎仕上げ方法について、図５〜図７を参照して説明する。まず、図５（ａ）に示すように、作業者は、基礎仕上げ用定木９０の立上部９３の先端部９３ａ及び遮断部９２の上面をそれぞれ水切り板８０の傾斜部８２の下面及び垂下部８３の下端部に当接させた状態で、着脱部９１の上側端部を上方に撓ませて拡開させる（点線→実線、取り付け工程の第一段階）。
【００３６】
続いて、図５（ｂ）に示すように、作業者は、基礎仕上げ用定木９０を水切り板８０に当接させたままスライドさせ、基礎仕上げ用定木９０の着脱部９１の上側端部９１ａを水切り板８０の傾斜部８２の上面に当接させる（取り付け工程の第二段階）。この状態で、基礎仕上げ用定木９０は水切り板８０に対して側面視の３点で当接しており、さらには着脱部９１には縮径方向の復元力が働いている。したがって、作業者が基礎仕上げ用定木９０から手を離しても、基礎仕上げ用定木９０は水切り板８０を挟み込んだままの姿勢で安定している。
【００３７】
続いて、図６（ａ）に示すように、作業者は、基礎仕上げ用定木９０を水切り板８０に当接させたままスライドさせ、着脱部９１の下側端部９１ｂの上面を水切り板８０の垂下部８３の下端部まで移動させ、基礎仕上げ用定木９０の遮断部９２の先端部９２ａを基礎１０の上端部の外側面に当接させる（取り付け工程の第三段階）。
【００３８】
続いて、図６（ｂ）に示すように、作業者は、基礎１０の外側面に仕上げ１１を施す（仕上げ工程）。遮断部９２の存在によって、仕上げ１１が土台パッキン２０の通気孔を塞ぐことはない。
【００３９】
続いて、図７（ａ）に示すように、作業者は、基礎仕上げ用定木９０をスライドさせ、着脱部９１の上側端部９１ａを水切り板８０の傾斜部８２の上面から外す。（取り外し工程の第一段階）。この際に、基礎仕上げ用定木９０は、元の形状に復元する（点線→実線）。
【００４０】
続いて、図７（ｂ）に示すように、作業者は、基礎仕上げ用定木９０を下に移動させて回収する（取り外し工程の第二段階）。
【００４１】
本発明の実施形態に係る基礎仕上げ用定木９０は、遮断部９２が基礎１０の上端部と水切り板８０との間を塞ぐので、基礎１０に仕上げ１１を施す際に、仕上げ１１が土台パッキン２０によって構成される通気孔を塞ぐことを防ぐことができるので、基礎１０の仕上げ作業を容易化することができる。すなわち、基礎仕上げ用定木９０の遮断部９２が基礎１０の上端部と水切り板８０との間を塞ぐので、作業者は、例えばコテを基礎仕上げ用定木９０の遮断部９２に沿って動かすだけで、通気孔を塞がずに仕上げ１１を施すことができる。また、基礎仕上げ用定木９０は、仕上げ１１が水切り板８０に付着することも防ぐことができる。また、基礎仕上げ用定木９０は、取り付け工程の途中段階で水切り板８０に対して側面視の３点で当接するので、水切り板８０に対する姿勢が安定しており、取り付けが容易である。また、基礎仕上げ用定木９０は、仕上げ工程後に取り外して回収可能であるので、再利用可能である。
【００４２】
以上、本発明の実施形態について説明したが、本発明は前記実施形態に限定されず、本発明の趣旨を逸脱しない範囲で適宜設計変更が可能である。例えば、建物の基礎は布基礎に限定されず、べた基礎であってもよい。また、建物の土台は図示したものに限定されず、土台パッキン上に設けられる上部構造物であればよい。また、本発明は、ツーバイフォー工法の建物に限定されず、在来軸組工法の建物等、基礎と土台との間に設置されて通気孔を構成する土台パッキンと、土台パッキンを外側方から覆う水切り板と、を備える建物全般に適用可能である。また、土台パッキンは長尺タイプの土台パッキン２０に限定されず、複数のブロック状パッキンであってもよい。この場合には、隣り合うブロック状パッキン間に通気孔が構成される。また、基礎仕上げ用定木の遮断部の形状は図示したものに限定されず、仕上げがモルタルである場合には、モルタルを塗布するためのコテや、塗布されたモルタルの表面を刷毛引きするための刷毛が土台パッキンに接触することを防ぐことが可能な形状であればよく、例えば、遮断部の先端部が基礎の上端部の外側面に当接せず離隔している形状であってもよい。また、基礎仕上げ用定木の着脱部の形状も図示したものに限定されず、水切り板に着脱可能な形状であればよい。水切り板の形状も図示したものに限定されず、基礎仕上げ用定木は、水切り板の形状に合わせた形状とすることが可能である。また、前記実施形態に係る基礎仕上げ用定木９０の着脱部９１は、その材料が有する弾性復元力を利用することによって、当該基礎仕上げ用定木９０を水切り板８０に安定的に固定されるが、基礎仕上げ用定木の着脱部は、バネ等を用いた機械的機構によって水切り板８０を挟持すること等により水切り板８０に固定される構成であってもよい。また、基礎仕上げ用定木の着脱部は、磁力を用いて水切り板８０に固定される構成であってもよい。また、遮断部９２は、少なくとも、基礎１０の上端部のうち、水切り板８０の下端と同じ高さで塞いでいる構成であってもよい。すなわち、仕上げ１１は、基礎１０の上端部のうち、水切り板８０の下端と同じ高さまで施されていてもよい。
【図面の簡単な説明】
【００４３】
【図１】本発明の実施形態に係る建物の基礎周辺部分を模式的に示す斜視図である。
【図２】本発明の実施形態に係る建物の基礎周辺部分を模式的に示す断面図である。
【図３】本発明の実施形態に係る土台パッキンを示す図であり、（ａ）は斜視図、（ｂ）は伏図、（ｃ）は正面図である。
【図４】本発明の実施形態に係る基礎仕上げ用定木を示す斜視図である。
【図５】本発明の実施形態に係る基礎仕上げ方法を説明するための図であり、（ａ）（ｂ）は取り付け工程を説明するための模式断面図である。
【図６】本発明の実施形態に係る基礎仕上げ方法を説明するための図であり、（ａ）は取り付け工程を説明するための模式断面図、（ｂ）は仕上げ工程を説明するための模式断面図である。
【図７】本発明の実施形態に係る基礎仕上げ方法を説明するための図であり、（ａ）（ｂ）は取り外し工程を説明するための模式断面図である。
【符号の説明】
【００４４】
１０    基礎
２０    土台パッキン
３０    土台
８０    水切り板
８２    傾斜部
８３    垂下部
９０    基礎仕上げ用定木
９１    着脱部
９２    遮断部
９３    立上部
ＵＦＳ  床下空間
【図１】
0004755664.tif 000002
【図２】
0004755664.tif 000003
【図３】
0004755664.tif 000004
【図４】
0004755664.tif 000005
【図５】
0004755664.tif 000006
【図６】
0004755664.tif 000007
【図７】
0004755664.tif 000008